(57)【要約】      （修正有）【課題】植物に十分な太陽光が当たり、水資源を繰り返し利用出来る、立体プランターの構造を提供する。【解決手段】少なくとも一つの支持ユニット１が設けられ、支持ユニット１は少なくとも一つの台座１１と、少なくとも一つの車輪１２とからなる。支持ユニット１の所定の位置には少なくとも一つの支持体２が設けられ、支持体２の所定の位置には少なくとも一つの支持部品３が連結される。支持部品３は、横向きの逆三角柱体であるとともに、開口部の角度が２０度から３０度であるため、植物に十分な太陽光が当たる。また、支持部品３の二側には複数のプランター４が設けられる。プランター４の底面には少なくとも一つの第一流水管５が連結され、第一流水管５には少なくとも一つの第二流水管６が連結される。更に第二流水管６に設けられた少なくとも一つの出水口により、余分な水が容器へ排出されて、繰り返し利用出来る。【選択図】図２
0003202251.tif 000002
【実用新案登録請求の範囲】
【請求項１】
少なくとも一つの支持部品と、複数のプランターと、少なくとも一つの第一流水管とからなる、立体プランターの構造であって、
前記支持部品は、横向きであるとともに、直立した少なくとも一つの支持体における所定の位置と互いに連結され、
複数の前記プランターは、前記支持部品の二側に連結され、
前記第一流水管の一端は、前記プランター底面と互いに連結され、前記第一流水管の他端には、横向きの第二流水管が少なくとも一つ連結され、
前記第二流水管には、少なくとも一つの出水口が設けられることを特徴とする、立体プランターの構造。
【請求項２】
前記支持部品は、横向きの逆三角柱体であるとともに、開口部の角度が２０度から３０度の間であることを特徴とする、請求項１に記載の立体プランターの構造。
【請求項３】
前記支持部品の内部は、中空状をなすとともに一層以上の階層構造を有し、
前記支持部品の頂面は、開口しており、
前記支持部品の二端には、それぞれ、直立した連結用部品が少なくとも一つ連結されることを特徴とする、請求項１に記載の立体プランターの構造。
【請求項４】
前記支持部品は、前記支持体の頂端と互いに連結されることを特徴とする、請求項１に記載の立体プランターの構造。
【請求項５】
前記支持体は、棒体であることを特徴とする、請求項４に記載の立体プランターの構造。
【請求項６】
前記支持体には、更に、少なくとも一つの支持ユニットが連結されることを特徴とする、請求項５に記載の立体プランターの構造。
【請求項７】
前記支持ユニットは、少なくとも一つの台座と、少なくとも一つの車輪とからなり、
前記車輪は、前記台座の一側に結合されることを特徴とする、請求項６に記載の立体プランターの構造。
【請求項８】
前記プランターは、直方体容器であるとともに、前記プランターの内部には少なくとも一つの出水孔が設けられ、且つ前記プランターの一側における頂端には少なくとも一つのフックが設けられることを特徴とする、請求項１に記載の立体プランターの構造。
【請求項９】
前記プランターの内部には、更に、少なくとも一つの通気台座が設けられることを特徴とする、請求項８に記載の立体プランターの構造。
【請求項１０】
前記プランターは、三角形状・楕円形状・立方体形状の中のいずれか一つをなすことを特徴とする、請求項８に記載の立体プランターの構造。
【考案の詳細な説明】
【技術分野】
【０００１】
本考案は、立体プランターの構造に関し、特に、支持ユニットと、支持体と、支持部品と、プランターと、第一流水管と、第二流水管とからなることにより、植物に十分な太陽光が当たるとともに、水資源を繰り返し利用することが出来る、立体プランターの構造に関する。
【背景技術】
【０００２】
図１を参照する。一般的に知られる従来型プランター用ホルダー１００は、少なくとも一つの収容スペース１０１が設けられるとともに、収容スペース１０１一側の頂端に少なくとも一つのフック１０２が設けられ、且つ収容スペース１０１が網状を呈するように設けられてなる。
【０００３】
しかし、一般的に知られる従来型プランター用ホルダー１００は、水を遣り過ぎた時に余分な水がプランター底部から地面へ流れ出てしまったり、角度を定められないためにプランター内の植物に十分な太陽光が当たらなかったりすることがよくある。このため、水資源が無駄になるだけでなく、植物が枯れやすくなるといった問題を生じている。
【考案の概要】
【考案が解決しようとする課題】
【０００４】
本考案は、少なくとも一つの支持部品が設けられ、前記支持部品は、横向きの逆三角柱体であるとともに、開口部の角度が２０度から３０度であり、これにより、複数のプランターが前記支持部品に掛けられた時、十分な太陽光が当たるようになり、加えて本考案は、配管構造を有し、これにより、水遣りの際に余った水分が、前記プランターと連結された少なくとも一つの第一流水管と、前記第一流水管と連結された少なくとも一つの第二流水管を経由した後、前記第二流水管に設けられた少なくとも一つの出水口から容器へ排出されて、繰り返し利用することが出来るようになり、水資源を無駄にしない、立体プランターの構造を提供することを目的とする。
【課題を解決するための手段】
【０００５】
上述の目的を達成するために、本考案の立体プランターの構造には、少なくとも一つの支持ユニットが設けられ、前記支持ユニットは、少なくとも一つの台座と、少なくとも一つの車輪とからなる。また、前記支持ユニットの所定の位置には、少なくとも一つの支持体が設けられ、前記支持体の所定の位置には、少なくとも一つの支持部品が設けられる。更に、前記支持部品の二側には、複数のプランターが連結される。前記プランターの底面には、少なくとも一つの第一流水管が連結され、前記第一流水管の他端には、少なくとも一つの第二流水管が連結される。前記第二流水管の出水口からは、余分な水が排出されて、繰り返し利用することが出来る。
【０００６】
上述のうち、前記支持部品は、横向きの逆三角柱体であるとともに、開口部の角度が２０度から３０度である。
【０００７】
上述のうち、前記支持部品の内部は、中空状且つ一層以上の階層構造を有し、前記支持部品の頂面は開口しており、前記支持部品の二端にはそれぞれ連結用部品が連結されて前記支持体の頂端と連結される。
【０００８】
上述のうち、前記支持体は、棒体である。
【０００９】
上述のうち、前記プランターは、直方体容器であるとともに、少なくとも一つの収容スペースが設けられ、且つ前記プランターの一側における頂端には少なくとも一つのフックが設けられ、前記プランターの底面には少なくとも一つの出水孔が設けられる。
【００１０】
上述のうち、前記プランターの内部には、更に、少なくとも一つの通気台座が設けられる。
【図面の簡単な説明】
【００１１】
【図１】従来技術の斜視図である。
【図２】本考案の斜視図である。
【図３】本考案の分解図である。
【図４】本考案の使用状態を示した概略図である。
【図５】本考案の実施例２（二層以上）を示した概略図である。
【図６】本考案の実施例２（二層以上）の使用状態を示した概略図である。
【図７】本考案の実施例３を示した概略図である。
【考案を実施するための形態】
【００１２】
（実施例１）
図２、及び図３を参照する。本考案は、少なくとも一つの支持ユニット１と、少なくとも一つの支持体２と、少なくとも一つの支持部品３と、複数のプランター４と、少なくとも一つの第一流水管５と、少なくとも一つの第二流水管６とからなる。
【００１３】
上述した支持ユニット１は、少なくとも一つの台座１１と、少なくとも一つの車輪１２とからなる。車輪１２は、台座１１の一側に結合される。
【００１４】
支持ユニット１の所定の位置には、支持体２が設けられる。支持体２は、棒体であるとともに、頂端には支持部品３が連結される。
【００１５】
支持部品３は、横向きの逆三角柱体であるとともに、開口部の角度が２０度から３０度である。支持部品３内部は中空状且つ一層以上の階層構造を有し、支持部品３頂面は開口している。また、支持部品３二端にはそれぞれ連結用部品３１が連結され、連結用部品３１は支持体２の頂端と連結される。更に、支持部品３二側には、複数のプランター４が設けられる。
【００１６】
プランター４は、直方体容器であるとともに、少なくとも一つの収容スペースが設けられる。更に、プランター４一側の頂端には少なくとも一つのフック４１が設けられ、底部には少なくとも一つの出水孔４２が設けられ、出水孔４２には第一流水管５が連結される。また、プランター４内部には、通気台座４３が設けられる。
【００１７】
第一流水管５一端には、第二流水管６が連結される。
【００１８】
第二流水管６には、少なくとも一つの出水口７が設けられることにより、余分な水が排出される。
【００１９】
図４を参照する。図は、本考案の使用状態を示した概略図である。本考案を使用する時には、まずプランター４上方から水遣り用容器で水を与えることで、プランター４内の植物が水分を吸収する。余分な水分は、出水孔４２に連結された第一流水管５を通して第二流水管６へと流れた後、第二流水管６を流れて出水口７から排出される。出水口７下方には、容器８が置かれることにより、余った水を繰り返し利用することが出来る。
【００２０】
（実施例２）
図５、及び図６を参照する。図は、本考案の実施例２の概略図、及び実施例２の使用状態を示した概略図である。本考案の立体プランターの構造は、一層以上の構造をなすことも可能である。即ち、上述の構造に加えて、少なくとも一つの支持体２と、少なくとも一つの支持部品３と、複数のプランター４と、少なくとも一つの第三流水管９が設けられる。プランター４上方から水遣り用容器で水を与えて、プランター４内の植物が必要とする水分量が飽和状態になった時には、余分な水分が出水孔４２に連結された第三流水管９を通して下層のプランター４内へと排出される。以上により、水資源の無駄を減らすことが出来る。
【００２１】
（実施例３）
図７を参照する。図は、本考案の実施例３を示した概略図である。プランター４は、楕円形状、或は三角形状をなすように設けられる。
【符号の説明】
【００２２】
（従来技術）
１００従来型プランター用ホルダー
１０１収容スペース
１０２フック
（本考案）
１支持ユニット
１１台座
１２車輪
２支持体
３支持部品
３１連結用部品
４プランター
４１フック
４２出水孔
４３通気台座
５第一流水管
６第二流水管
７出水口
８容器
９第三流水管
【図１】
0003202251.tif 000003
【図２】
0003202251.tif 000004
【図３】
0003202251.tif 000005
【図４】
0003202251.tif 000006
【図５】
0003202251.tif 000007
【図６】
0003202251.tif 000008
【図７】
0003202251.tif 000009